(57)【要約】【課題】  編集中の文書を印刷する用紙として、予め登録されていない色や模様の用紙を用いる場合においても、実際の印刷物の状態を表現したプレビュー画像の表示が可能な文書編集装置を提供する。【解決手段】  本発明に係る文書編集装置１においては、予め登録されていない色や模様の用紙については、スキャナ１９でスキャンすることにより新たに登録することができ、実際の印刷物の状態を表現したプレビュー画像を表示することができる。【選択図】    図１
2006268645.tif 000002
【特許請求の範囲】
【請求項１】
ユーザ定義用の用紙をスキャンして得られた用紙カラー画像データを入力する画像データ入力部と、
前記用紙カラー画像データを識別情報とともに記憶する記憶部と、
編集対象の文書データを入力する文書データ入力部と、
識別情報を入力する識別情報入力部と、
前記識別情報入力部によって入力された前記識別情報に対応する前記用紙カラー画像データを前記記憶部から読み出し、その読み出した用紙カラー画像データと前記文書データ入力部によって入力された前記文書データとを合成してプレビュー画像を生成するプレビュー画像生成部と、
前記プレビュー画像を表示する表示部とを備えたことを特徴とする文書編集装置。
【請求項２】
前記プレビュー画像生成部は、前記文書データに対する前記用紙カラー画像データの向きを回転させる回転部を備えたことを特徴とする請求項１に記載の文書編集装置。
【請求項３】
前記識別情報入力部は、前記用紙カラー画像データの色名であることを特徴とする請求項１に記載の文書編集装置。
【請求項４】
前記プレビュー画像生成部は、前記用紙カラー画像データ上の文字を認識する文字認識部を備え、前記文字認識部による認識結果に応じて前記用紙カラー画像データの向きを正立させる回転処理を行い、正立状態の前記用紙カラー画像データと前記文書データとを合成して前記プレビュー画像を生成することを特徴とする請求項１に記載の文書編集装置。
【請求項５】
前記記憶手段は、前記用紙カラー画像データを前記用紙の輪郭情報と色情報として記憶することを特徴とする請求項１に記載の文書編集装置。
【請求項６】
前記色情報は、前記用紙カラー画像データの全画素あるいは一部について平均化演算を行い、その結果に基づいて決定された単一色であることを特徴とする請求項５に記載の文書編集装置。
【発明の詳細な説明】
【技術分野】
【０００１】
本発明は、プレビュー表示が可能な文書編集装置に関する。
【背景技術】
【０００２】
今日、コンピュータやその周辺機器の発達に伴い、オンデマンド印刷などが容易に可能となってきた。文書内容はコンピュータの画面上で容易に編集、修正が可能であり、印刷の際も、編集された画面の内容そのままに印刷が可能である。また、印刷する紙も自由に設定可能である。
【０００３】
通常、文書編集時の画像背景は白色であるので、印刷する紙が通常の白色紙である場合には、編集画面上の表示は実際の印刷状態とあまり差がなく、印刷時のイメージを把握しやすい。しかし、それ以外の用紙に印刷する場合には、実際の印刷状態のイメージが把握しづらい。
【０００４】
このような問題に対して、実際の印刷物の状態を表現したプレビュー画像を表示可能な装置も提案されている（例えば、特許文献１参照）。
【０００５】
また、文書によっては、そのページ毎に印刷する用紙の種類が異なる場合もある。このような場合に、ページ毎に印刷する用紙を設定することができ、その設定された用紙に応じたプレビュー画像の表示が可能な文書編集装置が知られている。
【０００６】
図１１（ａ）は、そのような文書編集装置における用紙の設定画面の例を示す。この用紙設定画面２４において、印刷する用紙のサイズ、タイプ、色などの設定が可能である。ここで、色指定部２４４のプルダウンボタンを選択すると、図１１（ｂ）に示すような色リスト２４９が色指定部２４４の下部に表示される。このリストに表示された色については予め登録されているので、プレビュー表示が可能である。ユーザがこの中から１色を選択すると、それに応じて用紙プレビュー画像２４１を表示することができる。
【特許文献１】特開２００２−１０３７２６号公報
【発明の開示】
【発明が解決しようとする課題】
【０００７】
しかしながら、従来の文書編集装置によると、ページ毎に設定された用紙に応じたプレビュー画像を表示するためには、予めその用紙に応じた画像情報が登録されている必要があり、登録がされていない色の用紙などを使用したい場合には、適切なプレビュー画像を表示することができなかった。
【０００８】
すなわち、図１１（ｂ）の色リスト２４９に表示された色以外の色の用紙を印刷用紙として使用したい場合には、ユーザは、色リスト２４９の最下部の「その他」を選択することとなる。これを選択すると、図１１（ｃ）に示すような新色名入力画面２５が表示され、ユーザは新色名入力部２５１に新たな色名を入力する。例えば、色リスト２４９には「ラベンダー」色は設定されておらず、「ラベンダー」色の用紙に印刷することを所望する場合には新色名入力部２５１に「ラベンダー」と入力することはできる。
【０００９】
しかし、「ラベンダー」色の用紙画像は文書編集装置に登録されていないため表示することはできず、図１１（ａ）に示すように、色指定部２４４に「ラベンダー」と表示されたとしても、用紙プレビュー画像２４１は無色のままとなってしまう。
【００１０】
従って、本発明の目的は、編集中の文書を印刷する用紙として、予め登録されていない色や模様の用紙を用いる場合においても、実際の印刷物の状態を表現したプレビュー画像の表示が可能な文書編集装置を提供することにある。
【課題を解決するための手段】
【００１１】
本発明は、上記目的を達成するため、ユーザ定義用の用紙をスキャンして得られた用紙カラー画像データを入力する画像データ入力部と、前記用紙カラー画像データを識別情報とともに記憶する記憶部と、編集対象の文書データを入力する文書データ入力部と、識別情報を入力する識別情報入力部と、前記識別情報入力部によって入力された前記識別情報に対応する前記用紙カラー画像データを前記記憶部から読み出し、その読み出した用紙カラー画像データと前記文書データ入力部によって入力された前記文書データとを合成してプレビュー画像を生成するプレビュー画像生成部と、前記プレビュー画像を表示する表示部とを備えたことを特徴とする文書編集装置を提供する。
【００１２】
上記文書編集装置によれば、登録を希望する用紙をスキャンしてその用紙カラー画像データを登録することで、登録されていない色や模様の用紙でも、プレビュー画像として見ることができる。「ユーザ定義用の用紙」としては、普通紙、光沢紙、タブ紙、ＯＨＰシート、穴あき紙、タブ用紙、テクスチャ紙、プリプリント紙等の各種の用紙が対象となり、また、サイズもＡ４、Ａ３、Ｂ４等の各種のサイズが対象となる。「用紙カラー画像データ」には、用紙の輪郭情報、色、模様、平滑度等の紙質等が含まれる。
【００１３】
プレビュー画像生成部は、文書データに対する用紙カラー画像データの向きを回転させる回転部を備えた構成でもよい。用紙の向きを気にせずにスキャンすることができ、用紙画像の読み取り作業を効率的に行うことができる。
【００１４】
識別情報入力部は、用紙カラー画像データの色名を入力してもよい。色付きの用紙の場合、色名により容易に識別することができる。
【００１５】
プレビュー画像生成部は、用紙カラー画像データ上の文字を認識する文字認識部を備え、文字認識部による認識結果に応じて用紙カラー画像データの向きを正立させる回転処理を行い、正立状態の用紙カラー画像データと文書データとを合成してプレビュー画像を生成するようにしてもよい。これにより、用紙カラー画像データの回転操作の手間を省くことができる。
【００１６】
記憶手段は、用紙カラー画像データを用紙の輪郭情報と色情報として記憶するのが好ましい。これにより、記憶容量およびＣＰＵ負荷を低減することができる。
【００１７】
色情報は、用紙カラー画像データの全画素あるいは一部について平均化演算を行い、その結果に基づいて決定された単一色であることが好ましい。単一色で記憶することにより、記憶容量およびＣＰＵ負荷を低減することができる。
【発明の効果】
【００１８】
本発明によれば、編集中の文書を印刷する用紙としてどのような色や模様の用紙を用いる場合であっても、実際の印刷物の状態を表現したプレビュー画像の表示が可能となる。
【発明を実施するための最良の形態】
【００１９】
[第１の実施の形態]
図１は、本発明の第１の実施の形態に係る文書編集システムを示す。この文書編集システム１００は、文書を編集する文書編集装置１と、編集された文書を印刷するプリンタ１８と、用紙等から画像を読み取るスキャナ１９とを備え、これらの文書編集装置１、プリンタ１８およびスキャナ１９をネットワーク１７によって接続したものである。
【００２０】
文書編集装置１は、この装置１全体を制御するＣＰＵ１１と、ＣＰＵ１１のプログラムや画面情報等の各種のデータを記憶する記憶部１３と、キーボード，マウス等からなるユーザ指示部１４と、ネットワーク１７に接続されたネットワークインターフェイス１５と、画面等を表示するＬＣＤ（液晶ディスプレイ）等からなる表示部１６とを備え、これらのＣＰＵ１１、記憶部１３、ユーザ指示部１４、ネットワークインターフェイス１５および表示部１６をメイン内部バス１２によって接続したものである。
【００２１】
記憶部１３は、後述する図７および図８のフローチャートに示すようなＣＰＵ１１のプログラムが格納されたプログラム格納部１３１と、スキャナ１９によって読込まれた画像を一時的に保存するための画像メモリ１３２と、用紙に関する各データをデータベース化して格納するための用紙データベース１３３とを有し、ＲＯＭ（リード・オンリー・メモリ）やＲＡＭ（ランダム・アクセス・メモリ）、ＨＤＤ（ハード・ディスク・ドライブ）等によって構成されている。
【００２２】
プリンタ１８は、各種の用紙を収納する複数の給紙トレイと、複数の給紙トレイから用紙を印刷位置まで供給する用紙供給部と、印刷位置に供給された用紙に画像を、例えば、電子写真方式により印刷する印刷部とを備える。電子写真方式は、感光体に対する帯電，現像，クリーニングを繰り返すことにより実現される。この電子写真方式の他に、インクジェット方式、感熱転写方式等の各種の方式のものを用いることができる。また、印刷された用紙の仕分け、綴じ処理等の後処理を行う後処理装置を備えていてもよい。
【００２３】
スキャナ１９は、用紙が載置される原稿台と、用紙を自動的に１枚ずつ原稿台に供給するＡＤＦ（自動給紙装置）と、用紙から用紙カラー画像を読み取るカラー光電変換素子アレイと、カラー光電変換素子アレイを走査する走査部とを備え、原稿台に載置された用紙、あるいはＡＤＦから供給された用紙に対し光電変換素子アレイを走査して用紙から用紙カラー画像を光学的に読み取り、その用紙カラー画像をネットワーク１７を介して文書編集装置１に送信するように構成されている。
【００２４】
（文書編集システムの動作）
次に、文書編集システム１００の動作を図２〜図６を参照し、図７および図８のフローチャートに従って説明する。
【００２５】
ユーザが、文書編集装置１のユーザ指示部１４を操作して編集作業の開始を指示すると、ＣＰＵ１１は、記憶部１３から編集画面を読み出して表示部１６に表示する。
【００２６】
図２は、その編集画面を示す。この編集画面２１中には、用紙リスト２１０およびプレビュー画像２１１が表示される。用紙リスト２１０は、文書編集装置1において編集しようとする或いはされた文書が用紙毎に合成データとして整理されており、各合成データには、文字や図などからなる文書情報と、用紙の色や形状等に関する用紙種情報が含まれる。
【００２７】
プレビュー画像２１１は、用紙リスト２１０中から選択された１つの用紙についての文書情報を、用紙種情報とともにプレビュー表示される。図２に示す場合は、選択された「用紙１」に対応するプレビュー画像２１１が、用紙種情報が未設定であるか或いは標準設定であるため、無地白色の用紙が表示されている。
【００２８】
（１）既登録用紙の選択
図２が表示された状態において、ユーザが用紙リスト２１０に表示された用紙の中から１を選択し、マウス等の操作により用紙設定を指示すると（図７：ステップＳ１１）、ＣＰＵ１１は表示部１６上に、選択された用紙に対する用紙設定画面を表示する（図７：ステップＳ１２）。
【００２９】
図３は、その用紙設定画面の一例を示す。この用紙設定画面２２には、用紙リスト２２０、用紙プレビュー画像２２１、サイズ指定部２２２、タイプ指定部２２３、色指定部２２４、新色ボタン２２５、重量指定部２２６、穴あき紙指定部２２７、ＯＫボタン２２８およびキャンセルボタン２２９が表示される。
【００３０】
用紙リスト２２０は、各用紙に用いられる台紙のサイズ、タイプ、色、重量、穴あき紙か否か等の現在の設定状況について表示される。用紙プレビュー画像２２１は、選択された用紙における台紙の外観がプレビュー表示される。サイズ指定部２２２、タイプ指定部２２３、色指定部２２４、重量指定部２２６、穴あき紙指定部２２７は、ユーザの指定によりそれぞれ台紙のサイズ、タイプ、色、重量、穴あき紙か否かを決定するために用いられる。
【００３１】
ユーザがサイズ指定部２２２のプルダウンボタンを選択すると、ＣＰＵ１１は表示部１６上に用紙サイズのリストを表示する。用紙のサイズは、例えば、Ａ４、Ｂ４、はがきサイズなど、一般的なサイズについて予めデータが登録されており、ユーザはその中から所望するサイズを選択することができ、選択されたサイズが新たな用紙のサイズとして設定される（図７：ステップＳ１３）。
【００３２】
次に、ユーザがタイプ指定部２２３のプルダウンボタンを選択すると、ＣＰＵ１１は表示部１６上に用紙タイプのリストを表示する。用紙のタイプは、何ら飾りのない矩形上の「標準」の他、上方や側方に見出し部分の付いたインデックス用紙などが予めデータ登録されており、上記サイズと同様に、ユーザの選択が可能である。そして、選択されたタイプが新たな用紙のタイプとして設定される（図７：ステップＳ１４）。
【００３３】
次に、ユーザが色指定部２２４のプルダウンボタンを選択すると、ＣＰＵ１１は表示部１６上に用紙色のリストを表示する。用紙の色は、白、赤、青、黄色など、一般に使用頻度の高い用紙色が予めデータ登録されている。ユーザがその中から所望する色を選択すると、選択されたサイズが新たな用紙の色として設定される（図７：ステップＳ１５）。尚、登録されていない用紙色を使用することもでき、この場合については後述する。
【００３４】
次に、ユーザが重量指定部２２６に所望の数値を入力すると、ＣＰＵ１１はその数値を新たな用紙の重量として設定する（図７：ステップＳ１６）。用紙の重量は、通常の印刷用紙とは異なる、特別に薄い用紙や、特別に厚い用紙を指定する際に限り、そのデータをユーザが入力する必要があり、通常の印刷用紙の重量でよい場合には、特に入力は要しない。
【００３５】
次に、ユーザが穴あき紙指定部２２７のプルダウンボタンを選択すると、ＣＰＵ１１は表示部１６上に穴あき紙のリストを表示する。穴あき紙とは、２穴、２６穴、３０穴などのファイリング用に予めファイル穴のあけられた用紙であり、このような紙を用いるか否かについてもユーザの選択が可能である。ユーザがその中から所望する紙を選択すると、選択された穴あき紙が新たな用紙として設定される（図７：ステップＳ１７）。
【００３６】
以上のように各項目についてユーザによる設定がなされた後、その設定内容を保存すべきか否かの判断がなされることとなる（図７：ステップＳ１８）。その設定内容を保存するとユーザが判断した際には（ステップＳ１８：Ｙｅｓ）、ＯＫボタン２２８が選択され、ＣＰＵ１１は当該設定内容について用紙データベース１３３に設定内容のデータを格納する（図７：ステップＳ１９）。一方、その設定内容を保存せず削除するとユーザが判断した際には（ステップＳ１８：Ｎｏ）、キャンセルボタン２２９が選択され、ＣＰＵ１１は当該設定内容について保存することなく設定内容のデータを消去する（図７：ステップＳ２０）。
【００３７】
（２）未登録用紙色の設定
上記ステップＳ１５における用紙色の設定において、登録されていない用紙色を選択する際の設定方法については、図８に示すフローチャートに従ってなされる。
【００３８】
用紙色の設定の際に、ユーザの所望する用紙色がリスト上に設定されていない場合には、ユーザは、図３の用紙設定画面２２における新色ボタン２２５を選択する（図８：ステップＳ２１）。ＣＰＵ１１は、表示部１６に新色用紙設定画面を表示する（図８：ステップＳ２２）。
【００３９】
図４は、その新色用紙設定画面を示す。この新色用紙設定画面２３Ａには、用紙色名入力部２３１、用紙色プレビュー画面２３２、スキャン開始ボタン２３３、ＯＫボタン２３４およびキャンセルボタン２３５が表示される。
【００４０】
ユーザが、用紙色名入力部２３１に、ユーザが新たに設定を希望する色の名称を入力すると（図８：ステップＳ２３）、当該名称が新色の名称として設定される。用紙色プレビュー画面２３２には、スキャナ１９によって取込まれた用紙色情報がプレビュー表示されるのだが、画像読取前には何も表示されない。
【００４１】
ユーザが、画像の読取を所望する色の用紙をスキャナ１９にセットした後（図８：ステップＳ２４）、ユーザがスキャン開始ボタン２３３を選択すると（ステップＳ２５）、ＣＰＵ１１はネットワークインターフェイス１３を介してスキャナ１９に対してスキャン実行信号を送信する。当該信号を受信したスキャナ１９はスキャンを実行し（図８：ステップＳ２６）、読込んだ画像情報を文書編集装置１へ送信する。ＣＰＵ１１は、受信した画像情報を画像メモリ１３２に一時的に格納し、表示部１６に表示された新色用紙設定画面２３Ａの用紙色プレビュー画面２３２上にプレビュー画像を表示する。
【００４２】
ユーザは、表示されたプレビュー画像を参照し、表示内容を登録すべきか否かを判断する（図８：ステップＳ２８）。ユーザがキャンセルボタン２３５を選択した場合には（ステップＳ２８：Ｎｏ）、ＣＰＵ１１は表示内容を保存しないと判断し、再度設定し直すためにステップＳ２３に処理を戻す。一方、ユーザがＯＫボタン２３４を選択した場合には（ステップＳ２８：Ｙｅｓ）、ＣＰＵ１１は表示内容を保存すると判断し、新たな用紙色のデータとして用紙データベース１３３に格納する（図８：ステップ２９）。
【００４３】
（３）新たに設定した用紙色の選択
図５は、図３および図４に示す画面表示によって用紙設定の変更がなされた後の用紙設定画面の表示例である。図５において、用紙リスト２２０中の「用紙１」から「用紙４」までについては、サイズ、タイプ、色、重量、穴あき紙か否か、の各設定がそれぞれ異なっている。また、新たな用紙色として「ラベンダー」色が設定されたとして、「用紙４」の用紙色には「ラベンダー」色が設定されている。上記ステップＳ１２において、登録されている用紙色の中から「ランベンダー」を選択し、ＯＫボタン２２８を選択すると、用紙色がラベンダー色の編集画面が表示部１６に表示される。
【００４４】
図６は、その編集画面の表示例である。この編集画面２１には、設定の変更された用紙４のプレビュー画像２１１が表示される。プレビュー画像２１１は、新たに設定された「ラベンダー」色の用紙の上に、「用紙４」の文字や図が表記された、現実に印刷した際の外観がイメージ表示される。また、用紙リスト２１０の「用紙１」から「用紙４」の各用紙名の手前には、設定済みチェック２１２が付記されているが、これは、用紙設定画面２２によって用紙の設定変更が行われたことを示している。
【００４５】
（第１の実施の形態の効果）
以上のように文書編集方法を構成することにより、文書編集装置に予め設定のされていない色や模様の用紙を印刷用紙として指定したい場合であっても、その都度画像情報を読込むことにより、適切にプレビュー表示することが可能となる。
【００４６】
[第２の実施の形態]
図９は、本発明の第２の実施の形態に係る新色設定画面を示す。この新色設定画面２３Ｂは、図３の用紙設定画面２２において新色ボタン２２５を選択した際に表示される、データ上に設定のない台紙の色を設定するための画面であって、図４とは異なる形態の一例ある。
【００４７】
これまで、用紙色は単色無地を前提として説明してきたが、単色無地以外であっても、複数色による模様の付した用紙や、企業名のロゴの付された用紙などを用いた文書が作製されることも多い。このような場合においても、それらの用紙をスキャナ１９で読込み、記憶させることによって、文書に用いる用紙として本発明に係る文書編集装置で利用可能となる。
【００４８】
上記図４で示すような単色無地の用紙においては、スキャナ１９によって読込まれた用紙の画像は、上下左右の向きが存在しなかったが、図９の用紙プレビュー画像２３６に示すような文字入りの用紙などの場合には、スキャンする方向によっては、図９に示すように上下が反転してしまうことが起こり得る。
【００４９】
このような場合に、右９０°回転ボタン２３７、左９０°回転ボタン２３８、１８０°回転ボタン２３９等を設けておくことにより、どのような向きで、用紙の画像を取込んだとしても、新色設定画面２３Ｂ上で、修正することが可能となる。
【００５０】
（第２の実施の形態の効果）
この第２の実施の形態によれば、用紙の画像をスキャンするとき、用紙の向きが異なってスキャンした場合でも後の編集で用紙画像の向きを変更することができるので、用紙画像の読み取り動作を効率的に行うことができる。なお、用紙に文字が記録されている場合に、用紙画像をＯＣＲ処理して文字の向きから用紙画像の向きを判断し、用紙画像が正立するように回転処理を自動的に行うようにしてもよい。これにより、用紙画像の回転操作の手間を省くことができ、効率的な編集作業を行うことができる。
【００５１】
[第３の実施の形態]
図１０は、本発明の第３の実施の形態に係る新色用紙設定画面の表示例を示す。この第３の実施の形態は、スキャナで読み込んだ用紙画像イメージの全画素の加算平均から単一色を計算して求め、それを用紙色として採用するものである。
【００５２】
新色用紙設定画面２３Ｃには、図４に示したように、用紙色名入力部２３１、用紙色プレビュー画面２３２、スキャン開始ボタン２３３、ＯＫボタン２３４およびキャンセルボタン２３５が設けられており、本実施の形態では、さらに、単一色計算ボタン２５４を設けたものである。単一色計算ボタン２５４を選択してから、スキャンを開始すると、スキャンして作成された用紙画像イメージから単一色を計算し、その単一色を用紙色として採用する。
【００５３】
用紙がテクスチャ(texture)がなく、プレプリント（記録面の凹凸を覆い隠す透明層をあらかじめ全面に転写しておき、その表面に画像部のインクを印字する手法）でなく、単色で十分に平滑である場合、スキャナ１９で読み込んだ用紙画像イメージの全画素はほとん同じＲＧＢ値を持つので、全画素の加算平均から単一色を計算して求め、それを用紙色として採用することができる。
【００５４】
（第３の実施の形態の効果）
用紙色を用紙画像イメージで管理すると、メモリやハードディスクの容量を必要とし、プレビューイメージの作成にも多くのＣＰＵ時間を必要とするため、用紙色を単一色として管理することは記憶容量の低減、ＣＰＵ負荷の低減のメリットがある。
【００５５】
なお、ユーザーが単色用紙であることを保証している訳であるから、用紙画像イメージの全画素から単一色を計算する必要はなく、用紙画像イメージの一部分のみから単一色を計算してもよい。これにより、計算にかかるＣＰＵコストを低減できる。また、単一色の計算を行うか否かを装置が判断してもよい。例えば、用紙をスキャンして作成された用紙画像イメージの全画素を比較し、全画素のＲＧＢ値のばらつきが規定の閾値内であるときは、単色用紙であると判断し、自動的に単一色を採用する方法が考えられる。
【００５６】
[他の実施の形態]
なお、本発明は、上記各実施の形態に限定されず、その発明の趣旨を逸脱しない範囲で種々と変形実施が可能である。例えば、上記各実施の形態の構成要素を発明の趣旨を逸脱しない範囲で任意に組み合わせることができる。
【００５７】
また、例えば、スキャナを文書編集装置に含めて構成してもよい。スキャン操作と編集操作を近い場所で行うことが可能となり、編集作業を効率的に行うことができる。
【図面の簡単な説明】
【００５８】
【図１】本発明の第１の実施の形態に係る文書編集システムの構成を示すブロック図である。
【図２】文書編集画面の表示例を示す図である。
【図３】用紙設定画面の表示例を示す図である。
【図４】新色用紙設定画面の表示例を示す図である。
【図５】用紙設定画面の設定変更後の表示例を示す図である。
【図６】文書編集画面の用紙設定変更後の表示例を示す図である。
【図７】本発明の第１の実施の形態に係る文書編集システムにおける用紙設定の手順を示すフローチャートである。
【図８】本発明の第１の実施の形態に係る文書編集システムにおける用紙の新色を設定する際の手順を示すフローチャートである。
【図９】本発明の第２の実施の形態に係る新色用紙設定画面の表示例を示す図である。
【図１０】本発明の第３の実施の形態に係る新色用紙設定画面の表示例を示す図である。
【図１１】（ａ）〜（ｃ）は従来の文書編集方法における用紙設定画面の表示例である。
【符号の説明】
【００５９】
１、文書編集装置  １１、ＣＰＵ  １２、メイン内部バス  １３、記憶部
１４、ユーザ指示部  １５、ネットワークインターフェイス  １６、表示部
１７、ネットワーク１８、  プリンタ１９、  スキャナ
２１、編集画面  ２２、用紙設定画面  ２３Ａ〜２３Ｃ、新色用紙設定画面
２４、用紙設定画面  ２５、新色名入力画面  １００、編集システム
１３１、プログラム格納部  １３２、画像メモリ
１３３、用紙データベース  ２１０、用紙リスト  ２１１、プレビュー画面
２１２、設定済みチェック  ２２０、用紙リスト
２２１、用紙プレビュー画像  ２２２、サイズ指定部
２２３、タイプ指定部  ２２４、色指定部  ２２５、新色ボタン
２２６、重量指定部  ２２７、穴あき紙指定部  ２２８、ＯＫボタン
２２９、キャンセルボタン  ２３１、用紙色名入力部
２３２、用紙色プレビュー画面  ２３３、スキャン開始ボタン
２３４、ＯＫボタン  ２３５、キャンセルボタン
２３６、用紙色プレビュー画像  ２３７、右９０°回転ボタン
２３８、左９０°回転ボタン  ２３９、１８０°回転ボタン
２４０、用紙リスト  ２４１、用紙プレビュー画像  ２４２、サイズ指定部
２４３、タイプ指定部  ２４４、色指定部  ２４５、重量指定部
２４６、穴あき紙指定部  ２４７、ＯＫボタン  ２４８、キャンセルボタン
２４９、色リスト  ２５１、新色名入力部  ２５２、ＯＫボタン
２５３、キャンセルボタン  ２５４、単一色計算ボタン
【図１】
2006268645.tif 000003
【図２】
2006268645.tif 000004
【図３】
2006268645.tif 000005
【図４】
2006268645.tif 000006
【図５】
2006268645.tif 000007
【図６】
2006268645.tif 000008
【図７】
2006268645.tif 000009
【図８】
2006268645.tif 000010
【図９】
2006268645.tif 000011
【図１０】
2006268645.tif 000012
【図１１】
2006268645.tif 000013